(57)【特許請求の範囲】
【請求項１】
分散テーブルの中央部に投入された物品を放射状に分散させて複数のヘッドのホッパ内に供給し、目標重量に応じて選択した一つ以上のホッパ内に貯留されている物品を集合させて排出する組合せ計量装置が二台併設されてなる組合せ計量装置であって、
各前記組合せ計量装置のそれぞれの分散テーブルの周縁が、前記複数のヘッドに物品を排出する円弧状の排出領域と、物品を排出しない円弧状の非排出領域とに二分され、
前記非排出領域の円弧状の周縁には、物品を排出させない湾曲状の壁部材が設けられ、
前記壁部材と前記中央部との間には、前記壁部材の一方の端部と接する前記排出領域から排出されなかった余剰の物品が前記壁部材に沿って前記壁部材の他方の端部まで搬送される経路が形成されており、
各前記分散テーブルのそれぞれの非排出領域が互いに背中合わせに配置されていることを特徴とする、組合せ計量装置。
【請求項２】
各前記ヘッドには、
前記分散テーブルから排出される物品を外側へ搬送するトラフと、
前記トラフから供給される物品を一時的に貯留するプールホッパと、
前記プールホッパから排出される物品を貯留して計量する計量ホッパと
が備えられ、
少なくとも一方の前記組合せ計量装置の各前記計量ホッパの下段には、前記計量ホッパで計量された物品を貯留する貯留ホッパが備えられていることを特徴とする、請求項１に記載の組合せ計量装置。
【発明の詳細な説明】
【技術分野】
【０００１】
本発明は、組合せ計量装置に関する。
【背景技術】
【０００２】
背景技術に係る組合せ計量装置において、計量対象である物品は、装置本体の上方から分散テーブル上に落下投入される。分散テーブルの周囲には、複数の供給トラフが円形配列されている。分散テーブル上に投入された物品は、分散テーブルによって放射状に分散されて、複数の供給トラフに供給される。分散テーブルの振動方向を分散テーブルの円周方向とすることにより、物品は、分散テーブルの中心を回転中心として分散テーブル上を斜め下方に向かって進行しながら分散され、複数の供給トラフに供給される。
【０００３】
各供給トラフの先端部下方には、プールホッパが配置されている。供給トラフによって搬送された物品は、プールホッパに供給され、プールホッパ内に貯留される。プールホッパの下方には、計量ホッパが配置されている。プールホッパから排出された物品は、計量ホッパに供給され、その重量が計量される。計量ホッパの下方には、集合シュートが配置されている。全ての計量ホッパのうち、目標重量に一致又は最も近接する計量値を実現する一つ以上の計量ホッパの組合せが選択される。そして、選択された計量ホッパから排出された物品が集合シュートによって集合されて、装置外部に排出される。
【０００４】
ところで、下記特許文献１に開示されているように、一台の組合せ計量装置を用いて二種類の物品の計量が行われる場合がある。この場合、一つの分散テーブルの上面が仕切り壁によって二つのセクションに分割され、それぞれのセクションに異種の物品が投入される。
【０００５】
【特許文献１】実公平４−４１３０４号公報
【発明の開示】
【発明が解決しようとする課題】
【０００６】
物品の進行方向の下流に位置して仕切り壁に隣接する供給トラフに関しては、分散テーブルからの物品の供給量が過多となりやすく、一方、物品の進行方向の上流に位置して仕切り壁に隣接する供給トラフに関しては、分散テーブルからの物品の供給量が過少となりやすい。従って、これらの供給トラフに対応する計量ホッパに対して、適正量の物品を供給することが困難である。
【０００７】
本発明はかかる事情に鑑みて成されたものであり、分散テーブルから供給トラフへの物品の供給量が特定のヘッドにおいて適正量から大きくずれることを回避することが可能な、組合せ計量装置を得ることを目的とする。
【課題を解決するための手段】
【０００８】
本発明の第１の態様に係る組合せ計量装置は、上方から投入された物品を放射状に分散させて複数のヘッドのホッパ内に供給し、目標重量に応じて選択した一つ以上のホッパ内に貯留されている物品を集合させて排出する、組合せ計量装置であって、上方から投入された物品を分散させる分散テーブルを備え、前記分散テーブルの外周のうちの一部の領域は、前記分散テーブルから物品が排出されない非排出領域として規定されており、前記非排出領域に隣接するヘッドに関しては、前記分散テーブルの中央部から前記分散テーブルの径方向に沿って当該ヘッドに向かう、第１の物品供給経路と、前記非排出領域から前記分散テーブルの周方向に沿って当該ヘッドに向かう、第２の物品供給経路とが設けられていることを特徴とするものである。
【０００９】
第１の態様に係る組合せ計量装置によれば、分散テーブルの一部の領域は、分散テーブルから物品が排出されない非排出領域として規定されている。そして、分散テーブルからの物品の供給量が過少となりやすい、非排出領域に隣接するヘッドに関しては、第１の物品供給経路に加えて、非排出領域から分散テーブルの周方向に沿って当該ヘッドに向かう、第２の物品供給経路が設けられている。従って、第１の物品供給経路のみが設けられている装置と比較すると、当該ヘッドに多くの物品を供給することができる。その結果、分散テーブルから供給トラフへの物品の供給量が当該ヘッドにおいて適正量から大きくずれることを回避することが可能となる。
【００１０】
本発明の第２の態様に係る組合せ計量装置は、上方から投入された物品を放射状に分散させて複数のヘッドのホッパ内に供給し、目標重量に応じて選択した一つ以上のホッパ内に貯留されている物品を集合させて排出する、組合せ計量装置であって、上方から投入された物品を分散させる分散テーブルを備え、前記分散テーブルの外周のうちの一部の領域は、前記分散テーブルから物品が排出されない非排出領域として規定されており、前記非排出領域に隣接するヘッドに関しては、当該ヘッドに向かって前記分散テーブル上を搬送されてきた物品のうち、当該ヘッドに供給されなかった余剰の物品を前記非排出領域に向けて排出する、物品排出経路が設けられていることを特徴とするものである。
【００１１】
第２の態様に係る組合せ計量装置によれば、分散テーブルの一部の領域は、分散テーブルから物品が排出されない非排出領域として規定されている。そして、分散テーブルからの物品の供給量が過多となりやすい、非排出領域に隣接するヘッドに関しては、当該ヘッドに向かって分散テーブル上を搬送されてきた物品のうち、当該ヘッドに供給されなかった余剰の物品を非排出領域に向けて排出する、物品排出経路が設けられている。従って、この物品排出経路が設けられていない装置と比較すると、分散テーブルから当該ヘッドへの物品の供給量が過多となる度合いを低減することができる。その結果、分散テーブルから供給トラフへの物品の供給量が当該ヘッドにおいて適正量から大きくずれることを回避することが可能となる。
【発明の効果】
【００１２】
本発明によれば、分散テーブルから供給トラフへの物品の供給量が特定のヘッドにおいて適正量から大きくずれることを回避することが可能となる。
【発明を実施するための最良の形態】
【００１３】
以下、本発明の実施の形態について、図面を用いて詳細に説明する。なお、異なる図面において同一の符号を付した要素は、同一又は相応する要素を示すものとする。
【００１４】
図１は、本発明の実施の形態に係る組合せ計量装置１の全体構成を示す斜視図である。また、図２は、図１に示した矢印Ｘ１の方向から組合せ計量装置１を眺めた上面図であり、図３は、図１に示した矢印Ｘ２の方向から組合せ計量装置１を眺めた正面図であり、図４は、図１に示した矢印Ｘ３の方向から組合せ計量装置１を眺めた側面図である。
【００１５】
図１〜４に示すように、組合せ計量装置１は、互いに連結された組合せ計量装置１Ａと組合せ計量装置１Ｂとを備えて構成されている。図１，２に示すように、組合せ計量装置１Ａは分散テーブル２Ａを備えており、組合せ計量装置１Ｂは分散テーブル２Ｂを備えている。分散テーブル２Ａは、組合せ計量装置１Ａの装置本体の中央（ほぼ中央を含む）に配置されており、分散テーブル２Ｂは、組合せ計量装置１Ｂの装置本体の中央（ほぼ中央を含む）に配置されている。図２に示すように、組合せ計量装置１Ａは、複数個（この例では９個）のヘッドＨＡ１〜ＨＡ９を有している。同様に、組合せ計量装置１Ｂは、複数個（この例では９個）のヘッドＨＢ１〜ＨＢ９を有している。つまり、組合せ計量装置１Ａ，１Ｂは、それぞれ９ヘッド構成の組合せ計量装置である。
【００１６】
図５は、図２から組合せ計量装置１Ａを抜き出して示す上面図である。ヘッドＨＡ１〜ＨＡ９は、分散テーブル２Ａの周囲の円周５０上に並んで配置されている。円周５０は、真円の円周のみならず、真円に近い楕円の円周であってもよい。本実施の形態において、円周５０上には最大１４個のヘッドを並べて配置することが可能であるが、この例では、１４個のヘッドのうち、円周５０の一部である円弧領域５１に対応する５個のヘッドが切り欠かれている（つまり配設が省略されている）。そして、ヘッドＨＡ１〜ＨＡ９は、円周５０のうち円弧領域５１以外の領域に、密集して配置されている。なお、切り欠かれるヘッドの個数は、上記の５個に限らず、１個以上の任意の個数である。
【００１７】
図２を参照して、組合せ計量装置１Ａと同様に組合せ計量装置１Ｂにおいても、ヘッドＨＢ１〜ＨＢ９は、分散テーブル２Ｂの周囲の円周上に並んで配置されており、また、最大１４個のヘッドのうち５個のヘッドが切り欠かれている。そして、組合せ計量装置１Ａと組合せ計量装置１Ｂとは、それぞれのヘッドが切り欠かれた領域同士を対向させ、かつ、当該領域を相互に共有するような格好で、互いに連結されている。
【００１８】
図６は、ヘッドＨＡ５の構成を模式的に示す側面図である。ヘッドＨＡ５は、トラフ３Ａ５、プールホッパ４Ａ５、計量ホッパ５Ａ５、及び貯留ホッパ６Ａ５を備えて構成されている。計量ホッパ５Ａ５は、ロードセル等の計量手段８Ａ５に連結されている。貯留ホッパ６Ａ５の下端部は、集合シュート７Ａの開口上面７ＡＵの上方にまで延在している。集合シュート７Ａの底部には、物品排出口７ＡＬが形成されている。
【００１９】
図示は省略するが、他のヘッドＨＡ１〜ＨＡ４，ＨＡ６〜ＨＡ９も、ヘッドＨＡ５と同様の構成を有している。以下、ヘッドＨＡ１〜ＨＡ９がそれぞれ有するトラフ３Ａ１〜３Ａ９、プールホッパ４Ａ１〜４Ａ９、計量ホッパ５Ａ１〜５Ａ９、貯留ホッパ６Ａ１〜６Ａ９、計量手段８Ａ１〜８Ａ９を総称して、それぞれ「トラフ３Ａ」、「プールホッパ４Ａ」、「計量ホッパ５Ａ」、「貯留ホッパ６Ａ」、「計量手段８Ａ」とも称する。
【００２０】
図７は、物品排出口７ＡＬ，７ＢＬとヘッドＨＡ１〜ＨＡ９，ＨＢ１〜ＨＢ９との位置関係を説明するための図である。図７の（Ａ）は、組合せ計量装置１の上面構造の一部を抜き出して示す上面図であり、図７の（Ｂ）は、図７の（Ａ）に対応する正面図であり、図７の（Ｃ）は、図７の（Ｂ）中のラインＹ−Ｙに沿った位置に関する断面図である。
【００２１】
図７の（Ｃ）を参照して、組合せ計量装置１Ａにおいて、平面視上、物品排出口７ＡＬは、貯留ホッパ６Ａ１〜６Ａ９が並ぶ円周の中心（中心近傍を含む）に位置している。従って、各貯留ホッパ６Ａ１〜６Ａ９の下端から物品排出口７ＡＬまでの距離は、互いに等しい。
【００２２】
図８は、物品排出口７ＡＬとプールホッパ４Ａ１〜４Ａ９との位置関係を説明するための図である。組合せ計量装置１Ａにおいて、平面視上、物品排出口７ＡＬは、プールホッパ４Ａ１〜４Ａ９（又は計量ホッパ５Ａ１〜５Ａ９）が並ぶ円周５０の中心（中心近傍を含む）に位置している。図示は省略するが、組合せ計量装置１Ｂについても同様であり、平面視上、物品排出口７ＢＬは、各ヘッドＨＢ１〜ＨＢ９のプールホッパ（又は計量ホッパ）が並ぶ円周の中心（中心近傍を含む）に位置している。
【００２３】
また、図７の（Ｂ）及び（Ｃ）を参照して、組合せ計量装置１Ｂにおいては、組合せ計量装置１Ａにおける貯留ホッパ６Ａ１〜６Ａ９の代わりに、集合シュート６Ｂ１〜６Ｂ３が設けられている。集合シュート６Ｂ１は、ヘッドＨＢ１，ＨＢ２の各計量ホッパから排出された物品を集合させて、集合シュート７Ｂに供給する。集合シュート６Ｂ２は、ヘッドＨＢ３〜ＨＢ６の各計量ホッパから排出された物品を集合させて、集合シュート７Ｂに供給する。集合シュート６Ｂ３は、ヘッドＨＢ８，ＨＢ９の各計量ホッパから排出された物品を集合させて、集合シュート７Ｂに供給する。図７の（Ｃ）を参照して、組合せ計量装置１Ｂにおいて、物品排出口７ＢＬは、集合シュート６Ｂ１〜６Ｂ３が並ぶ円周の中心（中心近傍を含む）に位置している。従って、各集合シュート６Ｂ１〜６Ｂ３の下端から物品排出口７ＢＬまでの距離は、互いに等しい。なお、集合シュート６Ｂ１〜６Ｂ３の代わりに、各ヘッドＨＢ１〜ＨＢ９ごとに個別に設けられた個別シュートを用いることもできる。また、集合シュート６Ｂ１〜６Ｂ３や個別シュートの代わりに、組合せ計量装置１Ａと同様に貯留ホッパを用いることもできる。
【００２４】
以下、図５，６を参照して、組合せ計量装置１Ａの動作について説明する。計量対象である食品等の物品は、分散テーブル２Ａの上方から、分散テーブル２Ａの上面の中央部に落下投入される。分散テーブル２Ａ上に投入された物品は、分散テーブル２Ａによって放射状に分散されつつ、分散テーブル２Ａの外周縁から排出されて、各ヘッドＨＡ１〜ＨＡ９のトラフ３Ａの内端部に供給される。トラフ３Ａは、分散テーブル２Ａから供給された物品を、振動によって、内側から外側に向けて搬送する。トラフ３Ａの外端部から排出された物品は、プールホッパ４Ａに供給され、プールホッパ４Ａ内で一時的に貯留される。プールホッパ４Ａから排出された物品は、計量ホッパ５Ａに供給され、計量ホッパ５Ａ内で一時的に貯留されるとともに、計量手段８Ａによってその重量が計量される。計量ホッパ５Ａから排出された物品は、貯留ホッパ６Ａに供給され、その計量値と関連付けられて、貯留ホッパ６Ａ内で一時的に貯留される。そして、物品を貯留している全ての貯留ホッパ６Ａ（及び計量ホッパ５Ａ）のうち、目標重量に一致又は最も近接する重量値を実現するホッパの組合せが演算によって求められ、選択された一又は複数のホッパから物品が排出される。貯留ホッパ６Ａから排出された物品は、集合シュート７Ａ内に供給され、集合シュート７Ａによって集合されて、集合シュート７Ａの底部の物品排出口７ＡＬから下流機器（例えば包装機）に向けて排出される。なお、集合シュート７Ａと下流機器との間に、下流機器の動作と同期をとるためのタイミングホッパが配設される場合もある。
【００２５】
図９は、分散テーブル２Ａの具体的な構成を示す斜視図である。また、図１０は、図９に示した矢印Ｚ１の方向から分散テーブル２Ａを眺めた上面図であり、図１１は、図９に示した矢印Ｚ２の方向から分散テーブル２Ａを眺めた側面図であり、図１２は、図９に示した矢印Ｚ３の方向から分散テーブル２Ａを眺めた背面図である。
【００２６】
図９〜１２に示すように、分散テーブル２Ａは、中央部が高く周縁部が低い円錐状の傾斜面２Ａ１と、傾斜面２Ａを取り囲むように形成された水平面２Ａ２とを有している。水平面２Ａ２の内周は、傾斜面２Ａの外周に連続している。水平面２Ａ２の外周のうちの一部領域上には、壁部材２Ａ３が取り付けられている。支持具２Ａ５によって、壁部材２Ａ３の背面と水平面２Ａ２の裏面とが互いに固定されている。壁部材２Ａ３の端部２Ａ４は、物品の引っ掛かりや、衝突による物品の損傷を回避すべく、外側に向けての曲げ加工がなされている。水平面２Ａ２の外周のうちの一部領域上に壁部材２Ａ３が取り付けられることにより、当該一部領域は、分散テーブル２Ａから物品が排出されない非排出領域として規定される。図１に示すように、分散テーブル２Ａの非排出領域は、ヘッドが切り欠かれた領域に一致している。なお、図示は省略するが、分散テーブル２Ｂも分散テーブル２Ａと同様の構造を有している。また、図９〜１２には、傾斜面と水平面とによって上面が構成されたタイプの分散テーブルの例を示したが、水平面を有さず、傾斜面のみによって上面が構成されたタイプの分散テーブルであっても良い。あるいは、傾斜面を有さず、水平面のみによって上面が構成されたタイプの分散テーブルであっても良い。
【００２７】
図１３は、分散テーブル２Ａ上の物品の流れを示す図である。分散テーブル２Ａを円周方向に振動させることにより、物品は、図１３中の矢印で示すように、分散テーブル２Ａ上を反時計回りの方向に進行（回転進行）しながら放射状に分散されて、各ヘッドＨＡ１〜ＨＡ９に供給される。また、壁部材２Ａ３が形成されている非排出領域においては、分散テーブル２Ａ上から物品は排出されない。
【００２８】
図１４は、図１３の一部を拡大して示す図である。分散テーブル２Ａの外周のうちの一部の領域（壁部材２Ａ３に沿う領域）は、非排出領域１００として規定されている。
【００２９】
回転進行方向の上流側で非排出領域１００に隣接するヘッドＨＡ９に関しては、物品供給経路Ｐ１と物品供給経路Ｐ２とが設けられている。物品供給経路Ｐ１は、分散テーブル２Ａの中央部の物品投入領域から、分散テーブル２Ａの半径方向（厳密には回転に起因してカーブする）に沿って、ヘッドＨＡ９のトラフ３Ａ９に向かう経路である。物品供給経路Ｐ２は、回転進行方向の上流側から、分散テーブル２Ａの円周方向に沿って、ヘッドＨＡ９のトラフ３Ａ９に向かう経路である。
【００３０】
また、ヘッドＨＡ９に関しては、ヘッドＨＡ９に向かって分散テーブル２Ａ上（物品供給経路Ｐ１，Ｐ２）を搬送されてきた物品のうち、ヘッドＨＡ９のトラフ３Ａ９に供給されなかった余剰の物品を非排出領域１００に向けて排出する、物品排出経路Ｐ３が設けられている。つまり、非排出領域１００は、回転進行方向の最下流に位置するヘッドＨＡ９に関する物品排出経路Ｐ３として機能する。
【００３１】
回転進行方向の下流側で非排出領域１００に隣接するヘッドＨＡ１に関しては、物品供給経路Ｑ１と物品供給経路Ｑ２とが設けられている。物品供給経路Ｑ１は、分散テーブル２Ａの中央部の物品投入領域から、分散テーブル２Ａの半径方向（厳密には回転に起因してカーブする）に沿って、ヘッドＨＡ１のトラフ３Ａ１に向かう経路である。物品供給経路Ｑ２は、回転進行方向の上流側の非排出領域１００から、分散テーブル２Ａの円周方向に沿って、ヘッドＨＡ１のトラフ３Ａ１に向かう経路である。つまり、非排出領域１００は、回転進行方向の最上流に位置するヘッドＨＡ１に関する物品供給経路Ｑ２として機能する。また、非排出領域１００は、ヘッドＨＡ９に関する物品排出経路Ｐ３としての機能と、ヘッドＨＡ１に関する物品供給経路Ｑ２としての機能を有することから、ヘッドＨＡ９からヘッドＨＡ１に向けての物品の循環路として機能する。
【００３２】
なお、図１４には示さないが、ヘッドＨＡ１に向かって分散テーブル２Ａ上（物品供給経路Ｑ１，Ｑ２）を搬送されてきた物品のうち、ヘッドＨＡ１のトラフ３Ａ１に供給されなかった余剰の物品は、回転進行方向の下流側に向かって分散テーブル２Ａ上を流れていく。
【００３３】
図１３，１４では分散テーブル２Ａについて説明したが、分散テーブル２Ｂについても同様である。
【００３４】
本実施の形態に係る組合せ計量装置１Ａによれば、分散テーブル２Ａの一部の領域は、分散テーブル２Ａから物品が排出されない非排出領域１００として規定されている。そして、物品の進行方向の上流に位置して非排出領域１００に隣接するヘッドＨＡ１に関しては、物品供給経路Ｑ１に加えて、非排出領域１００から分散テーブル２Ａの周方向に沿って当該ヘッドＨＡ１に向かう、物品供給経路Ｑ２が設けられている。従って、物品供給経路Ｑ１のみが設けられている装置と比較すると、当該ヘッドＨＡ１に多くの物品を供給することができる。その結果、分散テーブル２Ａからトラフ３Ａ１への物品の供給量が適正量から大きくずれることを回避することが可能となる。組合せ計量装置１Ｂについても同様である。
【００３５】
また、本実施の形態に係る組合せ計量装置１Ａによれば、分散テーブル２Ａの一部の領域は、分散テーブル２Ａから物品が排出されない非排出領域１００として規定されている。そして、物品の進行方向の下流に位置して非排出領域１００に隣接するヘッドＨＡ９に関しては、当該ヘッドＨＡ９に向かって分散テーブル２Ａ上を搬送されてきた物品のうち、当該ヘッドＨＡ９に供給されなかった余剰の物品を非排出領域１００に向けて排出する、物品排出経路Ｐ３が設けられている。従って、この物品排出経路Ｐ３が設けられていない装置と比較すると、分散テーブル２Ａから当該ヘッドＨＡ９への物品の供給量が過多となる度合いを低減することができる。その結果、分散テーブル２Ａからトラフ３Ａ９への物品の供給量が適正量から大きくずれることを回避することが可能となる。組合せ計量装置１Ｂについても同様である。
【図面の簡単な説明】
【００３６】
【図１】本発明の実施の形態に係る組合せ計量装置の全体構成を示す斜視図である。
【図２】図１に示した矢印Ｘ１の方向から組合せ計量装置を眺めた上面図である。
【図３】図１に示した矢印Ｘ２の方向から組合せ計量装置を眺めた正面図である。
【図４】図１に示した矢印Ｘ３の方向から組合せ計量装置を眺めた側面図である。
【図５】図２から一方の組合せ計量装置を抜き出して示す上面図である。
【図６】一つのヘッドの構成を模式的に示す側面図である。
【図７】物品排出口とヘッドとの位置関係を説明するための図である。
【図８】物品排出口とプールホッパとの位置関係を説明するための図である。
【図９】分散テーブルの具体的な構成を示す斜視図である。
【図１０】図９に示した矢印Ｚ１の方向から分散テーブルを眺めた上面図である。
【図１１】図９に示した矢印Ｚ２の方向から分散テーブルを眺めた側面図である。
【図１２】図９に示した矢印Ｚ３の方向から分散テーブルを眺めた背面図である。
【図１３】分散テーブル上の物品の流れを示す図である。
【図１４】図１３の一部を拡大して示す図である。
【符号の説明】
【００３７】
１，１Ａ，１Ｂ  組合せ計量装置
２Ａ，２Ｂ  分散テーブル
３Ａ１，３Ａ９  トラフ
４Ａ１〜４Ａ９  プールホッパ
５Ａ５  計量ホッパ
６Ａ１〜６Ａ９  貯留ホッパ
７Ａ，７Ｂ  集合シュート
ＨＡ１〜ＨＡ９，ＨＢ１〜ＨＢ９  ヘッド
Ｐ３  物品排出経路
Ｑ２  物品供給経路
【図１】
0005095477.tif 000002
【図２】
0005095477.tif 000003
【図３】
0005095477.tif 000004
【図４】
0005095477.tif 000005
【図５】
0005095477.tif 000006
【図６】
0005095477.tif 000007
【図７】
0005095477.tif 000008
【図８】
0005095477.tif 000009
【図９】
0005095477.tif 000010
【図１０】
0005095477.tif 000011
【図１１】
0005095477.tif 000012
【図１２】
0005095477.tif 000013
【図１３】
0005095477.tif 000014
【図１４】
0005095477.tif 000015